(57)【特許請求の範囲】
【請求項１】
薄板状のディスプレイ装置を有するテレビジョン装置であって、
前記テレビジョン装置は前記ディスプレイ装置を支持するスタンドを備え、
前記スタンドは、基台と、前記基台から上方に突設された第１アームと、前記第１アームの先端に結合されその先端で前記ディスプレイ装置を支持する第２アームとを備え、
前記第１アームの基部と前記基台とが鉛直面内において揺動可能に結合され、
前記先端と反対側に位置する前記第２アームの基部寄りの箇所と前記第１アームの先端とが鉛直面内において揺動可能に結合され、
前記第１アームの基部と前記基台とが揺動可能に結合された第１の結合箇所において、前記ディスプレイ装置の重量と前記第２アームの重量と前記第１アームの重量により生じる回転モーメントに対抗する回転モーメントを生じさせるねじりばねが設けられ、
前記第２アームの基部寄りの箇所と前記第１アームの先端とが揺動可能に結合された第２の結合箇所を挟んで前記先端と反対側に位置する前記第２アームの基部にワイヤを介して連結され前記基台で鉛直方向に移動可能に支持された錘が設けられ、
前記錘を下方に付勢するコイルばねが設けられ、
前記第２の結合箇所において、前記ディスプレイ装置の重量と前記第２アームの重量により生じる回転モーメントに前記錘の重量および前記コイルばねの弾性力により生じる回転モーメントを対抗させ、
前記第１の結合箇所に、前記基台に対して前記第２アームが揺動された状態を摩擦力により維持する第１の摩擦機構が設けられ、
前記第２の結合箇所に、前記基台に対して前記第２アームが揺動された状態を摩擦力により維持する第２の摩擦機構が設けられている
テレビジョン装置。
【請求項２】
前記ワイヤの中間部は、前記第１アームに突設された滑車に掛装され前記第１アームに沿って前記基台に向かって延在している
請求項１記載のテレビジョン装置。
【請求項３】
前記基台は、フレームとこのフレームを覆うカバーとを含んで構成され、前記錘および前記コイルばねは前記カバーの内側に収容されている
請求項１記載のテレビジョン装置。
【請求項４】
前記基台は、机や棚や床などに載置される下部と、前記下部に鉛直軸を中心に回転可能に結合された上部とで構成され、前記第１の結合箇所は、前記第１アームの基部と前記上部とが結合された箇所であり、前記錘は前記上部で鉛直方向に移動可能に支持され、前記コイルばねは、前記錘の下端と前記下部との間に設けられている
請求項１記載のテレビジョン装置。
【請求項５】
前記第２アームの先端と前記ディスプレイ装置の背面とは、前記第２アームの先端に対して前記ディスプレイ装置が鉛直面内で揺動可能に結合され、前記結合された箇所に、前記第２アームの先端に対して前記ディスプレイ装置が揺動された状態を摩擦力を用いて維持する第３の摩擦機構が設けられている
請求項１記載のテレビジョン装置。
【請求項６】
前記第２アームの先端は前記ディスプレイ装置の背面の下部に結合されている
請求項５記載のテレビジョン装置。
【請求項７】
前記ディスプレイ装置の外縁に、前記ディスプレイ装置の移動用の取っ手が設けられている
請求項１記載のテレビジョン装置。
【発明の詳細な説明】
【技術分野】
【０００１】
本発明はテレビジョン装置に関する。
【背景技術】
【０００２】
ディスプレイ装置の位置や向きを自由に変えて支持するスタンドを備えたテレビジョン装置がある。
このようなスタンドとして、机などに取着される基部と、基部に第１の角度調整機構を介して揺動可能に設けられた支柱と、支柱の先端に第２の角度調整機構を介して揺動可能に設けられたアームと、アームの先端に第３の角度調整機構を介して揺動可能に設けられディスプレイ装置が取り付けられる取り付け部とを備えるものが提案されている（特許文献１参照）。
第１乃至第３の角度調整機構は机に取り付けて用いられる電気スタンドなどに用いられているものと同様の構造であり、ディスプレイ装置の重量に抗して各角度調整機構において支柱、アーム、取り付け部の揺動状態を保持するようにしている。
【特許文献１】特開平３−２４２０９２号公報
【発明の開示】
【発明が解決しようとする課題】
【０００３】
しかしながら、各角度調整機構で支えることができる重量には限界があり、スタンドに搭載できるディスプレイ装置は軽量なものに限られてしまう不利がある。
また、支柱、アーム、取り付け部を揺動させようとした場合、各角度調整機構において前記重量を支えるために必要な力を抵抗力として作用させているため、支柱、アーム、取り付け部を円滑に動かす上で不利がある。
本発明は、このような事情に鑑みなされたもので、その目的は、重量のあるディスプレイ装置を円滑に動かすことができ使い勝手を向上させる上で有利なテレビジョン装置を提供することにある。
【課題を解決するための手段】
【０００４】
上記目的を達成するために、本発明は、薄板状のディスプレイ装置を有するテレビジョン装置であって、前記テレビジョン装置は前記ディスプレイ装置を支持するスタンドを備えている。前記スタンドは、基台と、前記基台から上方に突設された第１アームと、前記第１アームの先端に結合されその先端で前記ディスプレイ装置を支持する第２アームとを備えている。前記第１アームの基部と前記基台とが鉛直面内において揺動可能に結合されている。前記先端と反対側に位置する前記第２アームの基部寄りの箇所と前記第１アームの先端とが鉛直面内において揺動可能に結合されている。前記第１アームの基部と前記基台とが揺動可能に結合された第１の結合箇所において、前記ディスプレイ装置の重量と前記第２アームの重量と前記第１アームの重量により生じる回転モーメントに対抗する回転モーメントを生じさせるねじりばねが設けられている。前記第２アームの基部寄りの箇所と前記第１アームの先端とが揺動可能に結合された第２の結合箇所を挟んで前記先端と反対側に位置する前記第２アームの基部にワイヤを介して連結され前記基台で鉛直方向に移動可能に支持された錘が設けられている。前記錘を下方に付勢するコイルばねが設けられている。前記第２の結合箇所において、前記ディスプレイ装置の重量と前記第２アームの重量により生じる回転モーメントに前記錘の重量および前記コイルばねの弾性力により生じる回転モーメントを対抗させている。前記第１の結合箇所に、前記基台に対して前記第２アームが揺動された状態を摩擦力により維持する第１の摩擦機構が設けられている。前記第２の結合箇所に、前記基台に対して前記第２アームが揺動された状態を摩擦力により維持する第２の摩擦機構が設けられている。
【発明の効果】
【０００５】
本発明によれば、重量の大きなディスプレイ装置を支える第１アーム、第２アームを円滑に簡単に動かすことができ、使い勝手を向上させる上で有利となる。
【発明を実施するための最良の形態】
【０００６】
（第１の実施の形態）
以下、本発明によるテレビジョン装置１０の実施の形態を図面に基づいて詳細に説明する。
図１は第１の実施の形態のテレビジョン装置１０の全体構成を示す斜視図である。
図２（Ａ）はテレビジョン装置１０の側面図、（Ｂ）はテレビジョン装置１０の背面図であり、何れもカバー２２５６を取り外した状態を示している。
図１、図２（Ａ）、（Ｂ）に示すように、テレビジョン装置１０は、矩形薄板状のディスプレイ装置１２と、このディスプレイ装置１２を支持するスタンド２０を備えている。
スタンド２０は、基台２２と、第１アーム２４と、第２アーム２６と、ワイヤ２８と、錘３０と、コイルばね３２とを備えている。
第１アーム２４はその基部が基台２２に鉛直面内で揺動可能に結合され基台２２から上方に突出しており、第２アーム２６はその基部寄りの箇所が第1アーム２４の先端に鉛直面内で揺動可能に結合され、第２アーム２６の先端でディスプレイ装置１２が支持されている。なお、ここで第１アーム２４の基部と基台２２とが結合された箇所を第１の結合箇所１００といい、第２アーム２６の基部寄りの箇所と第１アーム２４の先端とが結合された箇所を第２の結合箇所２００という。
本実施の形態では、ディスプレイ装置１２の背面の下部に第２アーム２６の先端が結合され、第２アーム２６が水平に延在した状態で、あるいは、第２アーム２６がその基端が先端よりも上方に位置するように傾いて延在した状態でディスプレイ装置１２の正面からテレビジョン装置１０を見ると、第２アーム２６がディスプレイ装置１２により隠され、スタンド２０の外観性が高められるようにしている。
また、ディスプレイ装置１２は第２アーム２６の先端に対して鉛直面内で揺動可能に支持されている。
本実施の形態では、ディスプレイ装置１２は液晶ディスプレイを用いて構成されている。なお、ディスプレイ装置１２はプラズマディスプレイや有機ＥＬディスプレイなどを用いて構成されたものであってもよい。
ディスプレイ装置１２の下部中央から下方に取っ手１２０２が延出して設けられ、この取っ手１２０２を把持してディスプレイ装置１２を動かすことができるように構成されている。なお、取っ手１２０２は、手でつかんでディスプレイ装置１２を移動できる構造であればよく、従来公知の様々な構造を採用可能である。取っ手１２０２を設けることで、ディスプレイ装置１２を移動させる際にディスプレイ装置１２を直接つかむ必要がなくなり、ディスプレイ装置１２に指紋が付くなどディスプレイ装置１２の汚れを防止する上で有利となる。なお、取っ手１２０２の配置箇所は、ディスプレイ装置１２の左右側部の一方でも、両側でもよく、あるいは、ディスプレイ装置１２の上部でもよく、要するに、ディスプレイ装置１２の外縁箇所に設けられていればよい。
【０００７】
基台２２は、机や棚や床などに載置される下部２２０２と、下部２２０２に鉛直軸を中心に回転可能に結合された上部２２５２とで構成されている。
下部２２０２は、フレーム（不図示）と、このフレームを覆うカバー２２０４とを含んで構成されている。上部２２５２は、フレーム２２５４（図２（Ａ）参照）と、フレーム２２５４を覆うカバー２２５６（図１参照）とを含んで構成されている。
【０００８】
図２（Ａ）に示すように、フレーム２２５４には、信号ボックス２２６２とスピーカーボックス２２６４が設けられている。
信号ボックス２２６２は、外部から供給されるテレビジョン信号を受信して音声信号と映像信号を生成するチューナと、前記音声信号を増幅するアンプなどを含んで構成されている。
スピーカーボックス２２６４には、前記アンプから供給される音声信号によって音声を出力するスピーカーが収容されている。
また、前記映像信号は図示しない信号ケーブルを介してディスプレイ装置１２に供給され映像が表示されるように構成されている。
これら信号ボックス２２６２とスピーカーボックス２２６４はカバー２２５６の内側に収容されている。
【０００９】
図３（Ａ）は錘３０およびコイルばね３２部分の拡大図、（Ｂ）は（Ａ）のＡＡ線断面図である。
図４は基台２２の上部の拡大図である。
錘３０は基台２２で鉛直方向に移動可能に支持されている。
錘３０は図３、図４に示すように、複数の円柱状の錘体３００２で構成されている。
各錘体３００２の中央にはワイヤ挿通孔３００４が貫通形成され、各錘体３００２の外周部の２箇所には円弧状のガイド溝３００６が形成されている。
各錘体３００２は、下部２２０２から立設された２本のガイド軸２２１０が各ガイド溝３００６に係合することで鉛直方向に移動可能に支持されている。
【００１０】
図２に示すように、ワイヤ２８は、その一端が第２アーム２６の基端に取着され、その中間部が第１アーム２４に突設された滑車２４０２に掛装されて第１アーム２４に沿って基台２２に向かって延在し、図４に示すように、第１アーム２４の基部に設けられたガイド部材２４０４を介して向きが変更され、ガイド軸２２１０の側部の滑車２２１２、ガイド軸２２１０の上部の滑車２２１４に掛装されて滑車２２１４から下方に延在し、各錘体３００２のワイヤ挿通孔３００４を通り最も下位に位置する錘体３００２にワイヤ２８の他端が連結されている。
【００１１】
図３（Ａ）に示すように、コイルばね３２は、最も下位に位置する錘体３００２と下部２２０２との間に設けられ、錘３０を下方に付勢している。
すなわち、図２（Ａ）に示すように、第２の結合箇所２００において、ディスプレイ装置１２の重量と第２アーム２６の重量により生じる回転モーメントに、錘３０の重量およびコイルばね３２の弾性力により生じる回転モーメントをワイヤ２８を介して対抗させている。
【００１２】
図９は第２の結合箇所２００の拡大斜視図、図１０は第２の結合箇所２００の側面図、図１１は図１０のＢＢ線断面図である。
図９乃至図１１に示すように、第２の結合箇所２００に、第１アーム２４に対して第２アーム２６を揺動させた際にこの揺動された状態を摩擦力を用いて維持する第２の摩擦機構４０が設けられている。
第２の摩擦機構４０は、第１アーム２４の先端にブラケット２４０２を介して取着された摩擦係数の大きい材料からなる摩擦板４００２と、第２アーム２６の基部寄りの箇所に設けられ摩擦板４００２を挟む２つの挟持板４００４と、それら挟持板４００４間の距離を調節するための雄ねじ部材４００６とで構成され、雄ねじ部材４００６の弛緩緊締により挟持板４００４による摩擦板４００２の締め付け力が調整され、すなわち挟持板４００４と摩擦板４００２の間に生じる摩擦力が調整され、第１アーム２４と第２アーム２６とが揺動された状態が維持されるように構成されている。なお、第２の摩擦機構４０は上述の構成に限定されず、従来公知の様々な構造が採用可能である。
【００１３】
図５は第１の結合箇所１００の側面図、図６は図５のＣＣ線断面図、図７は図５のＤ矢視図、図８は図７のＥＥ線断面図である。
図６、図８に示すように、第１の結合箇所１００に、ディスプレイ装置１２の重量と、第２アーム２６の重量と、第１アーム２４の重量により生じる回転モーメントに対抗する回転モーメントを生じさせるねじりばね４２が設けられ、また、基台２２に対して第２アーム２６が揺動された状態を摩擦力により維持する第１の摩擦機構４４が設けられている。
すなわち、図４乃至図７に示すように、上部２２５２のフレーム２２５４に第１ブラケット２２７０と第２ブラケット２２７２とが対向して設けられ、それらブラケット２２７０、２２７２間に雄ねじ部材２２７４が挿通されている。
また、第１アーム２４の基端にブラケット２４１０を介して摩擦係数の大きい材料からなる筒状部材２４１２が取着されている。
図６に示すように、筒状部材２４１２は雄ねじ部材２２７４が挿通される内筒部２４１４と、内筒部２４１４の半径方向外側に有する外筒部２４１６とを有し、雄ねじ部材２２７４に回転可能に支持されている。
図６、図８に示すように、ねじりばね４２は、内筒部２４１４と外筒部２４１６との間の環状の空間に配設され、その一端４２０２が第１ブラケット２２７０に係止され、他端４２０４が筒状部材２４１２に係止されて配設され、したがって、ねじりばね４２の弾性力は雄ねじ部材２２７４の周方向において、上部２２５２のフレーム２２５４と第１アーム２４の基端とにわたって作用している。
また、雄ねじ部材２２７４の弛緩緊締によりブラケット２２７０、２２７２間で筒状部材２４１２を締め付ける力が調整され、すなわちブラケット２２７０、２２７２と筒状部材２４１２の間に生じる摩擦力が調整され、基台に対して第１アーム２４が揺動された状態が維持される第１の摩擦機構４４が構成されている。なお、第１の摩擦機構４４は上述の構成に限定されず、従来公知の様々な構造が採用可能である。
【００１４】
なお、図２（Ａ）に示すように、第２アーム２６の先端とディスプレイ装置１２との結合箇所にも、第２アーム２６の先端に対してディスプレイ装置１２を揺動させた際にこの揺動された状態を摩擦力を用いて維持する摩擦機構４６が設けられている。この摩擦機構４６の構成は、上述の摩擦機構４０、４４と同様であり、また、この摩擦機構４６は摩擦機構４０、４４と同様に従来公知の様々な構造が採用可能である。
【００１５】
次に、スタンド２０の使用方法について説明する。
図１２（Ａ）、（Ｂ）、（Ｃ）はスタンド２０の動作説明図である。
図１２に示すように、使用者は、ディスプレイ装置１２あるいは把手１２０２（図１参照）を把持して、ディスプレイ装置１２が所望の位置や姿勢となるように移動させる。
このディスプレイ装置１２の移動に伴い、下部２２０２に対して鉛直軸の回りに上部２２０４が回転し、上部２２０４に対して第１アーム２４が鉛直面内で揺動し、第１アーム２４に対して第２アーム２６が鉛直面内で揺動し、第２アーム２６に対してディスプレイ装置１２が鉛直面内で揺動する。
ディスプレイ装置１２が所望の位置や姿勢となったならば、ディスプレイ装置１２あるいは把手１２０２から手を離す。
手を離すと、摩擦機構４０、４４、４６、錘３０、コイルばね３２、ねじりばね４２により、ディスプレイ装置１２はその動かされた位置や姿勢でスタンド２０によって支持される。
【００１６】
本実施の形態によれば、第１の結合箇所１００において、ディスプレイ装置１２の重量と、第２アーム２６の重量と、第１アーム２４の重量により生じる回転モーメントに、ねじりばね４２の弾性力による回転モーメントが対抗している。
また、第２の結合箇所２００において、ディスプレイ装置１２の重量と第２アーム２６の重量により生じる回転モーメントに、錘３０の重量およびコイルばね３２の弾性力により生じる回転モーメントが対抗している。
そして、第１の結合箇所１００および第２の結合箇所２００の双方に、揺動された状態を摩擦力を用いて維持する摩擦機構４０，４６が設けられている。
したがって、重量の大きなディスプレイ装置１２を支える第１、第２アーム２４、２６を円滑に簡単に動かすことができ、使い勝手を向上させる上で有利となる。
また、ディスプレイ装置１２を床などに直接置く場合に比べ、本実施の形態では、基台２２、第１アーム２４、第２アーム２６からなるスタンド２０により、床の上方に離れた空間箇所にディスプレイ装置１２が配置されるため、従来とは異なった趣をテレビジョン装置１０に付加することができ、テレビジョン装置１０の購買力を高める上で有利となる。
【００１７】
（第２の実施の形態）
次に第２の実施の形態について説明する。
図１３は第２の実施の形態のテレビジョン装置５０の全体構成を示す斜視図である。
図１３に示すように、テレビジョン装置５０は、矩形薄板状のディスプレイ装置５２と、このディスプレイ装置５２を支持するスタンド５４を備えている。
スタンド５４は、基台５６と、支柱５８と、アーム６０と、錘６２とを備えている。
支柱５８は基台５６から上方に突設され、アーム６０はその延在方向の基端が支柱５８の上端で鉛直面内で揺動可能に結合され、ディスプレイ装置５２はアーム６０の先端で支持され、錘６２はアーム６０の基端に連結され、錘６２は、支柱５８とアーム６０との結合箇所を挟みアーム６０とは反対に位置する箇所に配置されている。
本実施の形態では、ディスプレイ装置５２の背面の下部にアーム６０の先端が結合され、第１の実施の形態と同様にスタンド５４の外観性が高められ、また、ディスプレイ装置５２はアーム６０の先端に対して鉛直面内で揺動可能に結合されている。
ディスプレイ装置５２は、第１の実施の形態と同様に、液晶ディスプレイを用いて構成されている。
【００１８】
基台５６は、フレームとこのフレームを覆うカバー５６０２とで構成されている。
フレームの上部には、鉛直軸を中心に回転可能にかつ鉛直面内で揺動可能に半球面状の揺動板６４が設けられ、揺動板６４はカバー５６０２の上面から上方に露出している。
また、図示しないが、カバー５６０２の内側には第１の実施の形態と同様に、信号ボックスとスピーカーボックスが収容されている。
【００１９】
支柱５８は揺動板６４から突設されており、本実施の形態では支柱５８は互いに平行して延在する２本のロッド５８０２で構成されている。
図１４は支柱５８とアーム６０の結合部分の側面図、図１５は図１４のＥ矢視図、図１６は図１５のＦＦ船断面図、図１７は図１５のＧＧ線断面図である。
図１６、図１７に示すように、支柱５８とアーム６０との結合箇所３００にねじりばね６６が設けられている。
そして、支柱５８とアーム６０との結合箇所において、錘６２の重量により生じる回転モーメントと協働してねじりばね６６の弾性力により生じる回転モーメントを、ディスプレイ装置５２の重量とアーム６０重量により生じる回転モーメントに対抗させている。
さらに、支柱５８とアーム６０との結合箇所に、支柱５８に対してアーム６０が揺動された状態を摩擦力により維持する摩擦機構６８が設けられている。
【００２０】
すなわち、図１４乃至図１７に示すように、２本のロッド５８０２の先端に互いに対向するようにブラケット５８０４、５８０６が設けられ、それらブラケット５８０４、５８０６間に雄ねじ部材５８０８が挿通され、アーム６０の中間部から突設され摩擦係数の大きい材料からなる筒状部６００２がブラケット５８０４、５８０６に挟まれ雄ねじ部材５８０８の軸部に回転可能に支持されている。
筒状部６００２は、雄ねじ部材５８０８の軸部が挿通される内筒部６００４と、この内筒部６００４の半径方向外側に位置する外筒部６００６とを備え、外筒部６００６の外径はブラケット５８０４、５８０６とほぼ同一の寸法で形成されている。
そして、内筒部６００４と外筒部６００６との間の環状の空間に、ねじりばね６６が配設され、ねじりばね６６の一端６６０２がブラケット５８０４に係止され、ねじりばね６６の他端６６０４が、内筒部６００４と外筒部６００６とにわたって設けられた壁面に係止され、ねじりばね６６の弾性力は雄ねじ部材５８０８の周方向において、支柱５８とアーム６０とにわたって作用している。
また、雄ねじ部材５８０８の弛緩緊締によりブラケット５８０４、５８０６間で筒状部６００２を締め付ける力が調整され、すなわちブラケット５８０４、５８０６と筒状部６００２の間に生じる摩擦力が調整され、支柱５８に対してアーム６０が揺動された状態が維持される摩擦機構６８が構成されている。なお、摩擦機構６８は上述の構成に限定されず、従来公知の様々な構造が採用可能である。
なお、アーム６０の先端とディスプレイ装置５２との結合箇所にも、アーム６０の先端に対してディスプレイ装置５２を揺動させた際にこの揺動された状態を摩擦力を用いて維持する摩擦機構が設けられている。この摩擦機構の構成は、摩擦機構６８と同様であり、従来公知の様々な構造が採用可能である。
【００２１】
次に、スタンド５０の使用方法について説明する。
使用者は、ディスプレイ装置５２を把持して、ディスプレイ装置５２が所望の位置や姿勢となるように移動させる。
このディスプレイ装置５２の移動に伴い、揺動板６４を介して支柱５８が鉛直軸を中心に回転しまた鉛直面内で揺動し、アーム６０が支柱５８に対して鉛直面内で揺動し、アーム６０に対してディスプレイ装置５２が鉛直面内で揺動する。
ディスプレイ装置５２が所望の位置や姿勢となったならば、ディスプレイ装置５２から手を離す。
手を離すと、ねじりばね６６、錘６２、摩擦機構６８により、ディスプレイ装置５２はその動かされた位置や姿勢でスタンド５０によって支持される。
【００２２】
本実施の形態によれば、支柱５８とアーム６０との結合箇所３００において、錘６２の重量による回転モーメントおよびねじりばね６６の弾性力による回転モーメントが、ディスプレイ装置５２の重量による回転モーメントおよびアーム６０の重量による回転モーメントに対抗している。
さらに、支柱５８とアーム６０との結合箇所３００に、支柱５８に対してアーム６０が揺動された状態を摩擦力により維持する摩擦機構６８が設けられている。
したがって、重量の大きなディスプレイ装置５２を支えるアーム６０を円滑に簡単に動かすことができ、使い勝手を向上させる上で有利となる。
また、ディスプレイ装置５２を床などに直接置く場合に比べ、本実施の形態では、基台５６、支柱５８、アーム６０からなるスタンド５４により、床の上方に離れた空間箇所にディスプレイ装置５２が配置されるため、従来とは異なった趣をテレビジョン装置５０に付加することができ、テレビジョン装置５０の購買力を高める上で有利となる。
【図面の簡単な説明】
【００２３】
【図１】第１の実施の形態のテレビジョン装置１０の全体構成を示す斜視図である。
【図２】（Ａ）はテレビジョン装置１０の側面図、（Ｂ）はテレビジョン装置１０の背面図であり、何れもカバーを取り外した状態を示している。
【図３】（Ａ）は錘３０およびコイルばね３２部分の拡大図、（Ｂ）は（Ａ）のＡＡ線断面図である。
【図４】第１の結合箇所の拡大図である。
【図５】第１の結合箇所の側面図である。
【図６】図５のＣＣ線断面図である。
【図７】図５のＤ矢視図である。
【図８】図７のＥＥ線断面図である。
【図９】第２の結合箇所の拡大斜視図である。
【図１０】第２の結合箇所の側面図である。
【図１１】図１０のＢＢ線断面図である。
【図１２】（Ａ）、（Ｂ）、（Ｃ）はスタンド２０の動作説明図である。
【図１３】第２の実施の形態のテレビジョン装置５０の全体構成を示す斜視図である。
【図１４】支柱５８とアーム６０の結合部分の側面図である。
【図１５】図１４のＥ矢視図である。
【図１６】図１５のＦＦ船断面図である。
【図１７】図１５のＧＧ線断面図である。
【符号の説明】
【００２４】
１０、５０……テレビジョン装置、１２、５２……ディスプレイ装置、２０、５４……スタンド、２２、５６……基台、２４……第１アーム、２６……第２アーム、２８……ワイヤ、３０……錘、３２……コイルばね、４０、４４、４６、６８……摩擦機構、４２、６６……ねじりばね、５８……支柱、６０……アーム、６００２……筒状部。
【図１】
0004586686.tif 000002
【図２】
0004586686.tif 000003
【図３】
0004586686.tif 000004
【図４】
0004586686.tif 000005
【図５】
0004586686.tif 000006
【図６】
0004586686.tif 000007
【図７】
0004586686.tif 000008
【図８】
0004586686.tif 000009
【図９】
0004586686.tif 000010
【図１０】
0004586686.tif 000011
【図１１】
0004586686.tif 000012
【図１２】
0004586686.tif 000013
【図１３】
0004586686.tif 000014
【図１４】
0004586686.tif 000015
【図１５】
0004586686.tif 000016
【図１６】
0004586686.tif 000017
【図１７】
0004586686.tif 000018